(57)【要約】      （修正有）【課題】スイッチ内部に空間がなく、外気圧や温度変化による影響を受けにくく、また、防水、防塵構造が容易であり、高電圧に対応したスイッチを提供する。【解決手段】磁界に反応するセンサーと、センサーの反応によって可動するするパワーデバイスを含む基板を樹脂で封止し、樹脂の外側で稼動するネオジム磁石によってＯＮ／ＯＦＦするシーソースイッチとした。【選択図】図１
2016136505.tif 000002
【特許請求の範囲】
【請求項１】
リードスイッチ６、又は、ホール素子などの磁界に反応するセンサーを有し、シーソースイッチのボディ９は、リードスイッチ６、または、ホール素子がハンダ付けされたプリント基板７を挿入し、樹脂封止され防水処理された第１の部屋９ａと、浸水することを許可された、ノブ１と、スプリングホルダー２と、製圧縮コイルバネ３と、ネオジム磁石５と、ネオジム磁石５が挿入されるマグネットホルダー４で構成された可動部を挿入する第２の部屋９ｂに分かれており、マグネットホルダー４に挿入されたネオジム磁石５が、第１の部屋９ａの仕切りを隔てて、リードスイッチ６、又は、ホール素子などの磁界に反応する素子を間接的なスイッチとして可動させ、ＭＯＳ  ＦＥＴなどのスイッチング素子を内部に持つことを特徴とするシーソースイッチ。
【請求項２】
前記のマグネットホルダー４はスプリングホルダー２の先端の窪み部分に配置され、マグネットホルダー４自体が可動体となり、節度山１０上を往来することを特徴とする請求項１記載のシーソースイッチ。
【請求項３】
前記シーソースイッチは、ノブ１基板と共に、鉄、パーマロイなどの磁性体で作られたシールド板８をボディ９の第１の部屋９ａに挿入し、プリント基板７とともに樹脂封止を行うと共に、シーソースイッチ取付パネル１３に装着した後、広範囲に重なる、外部磁気シールドＡ１１、及び外部磁気シールドＢ１２で覆うことを特徴とする請求項１に記載のシーソースイッチ。
【発明の詳細な説明】
【技術分野】
【０００１】  本発明は、電気機器類や電子装置の電源用スイッチなどとして用いられるシーソー式スイッチ装置の防水防塵構造に関する。
【背景技術】
【０００２】  従来から防水防塵構造を施したシーソースイッチが開発されてきたが、シーソースイッチにおいては、内部に電気的接点を有する構造のため、内部に密閉された空間が必要であり、内部空間の気圧と外部との気圧差が大きい場合や、非常に頑丈な構造が必要であった。
また、粉塵がゴムパッキン内部に進入などの過酷な条件に対応するため、複雑な機構が必要であり、操作感を犠牲にする等のデメリットがあった。【０００３】  上記シーソースイッチは、その用途によっては高い防水防塵性能が求められている。本発明は、その防水防塵性能を満足させるための手段、及び、構造を提供するものである。【０００４】  当該発明の出願に関わるシーソー式スイッチ装置の先行例を説明する。
図４において、操作用スイッチのフランジ部４を、弾性部材の防水カバー６で、断面の少なくとも上下面の周囲を包み込むとともに、防水カバー６の取付パネルとの密着部に圧接リブ７を周設することにより、取付パネルとの密着性を高めて防水性能を向上させることができる。さらに、前記圧接リブ７の内周を下方に広がる略傾斜面８としたので、防水カバー６の圧接リブ７の倒れ込みが、一定方向に向かうため、圧接リブ７の捩れによる防水性能の低下を予防するとともに、圧接リブ７の潰れ代が内周の傾斜面８方向に発生するため、防水カバー６が外側へ変形ことを予防できる。また、圧接リブ７の断面形状を吸着形状とすることで、防水カバー６の吸着力により、表面パネルへの密着性を一層向上させることができる。
【先行技術文献】
【０００５】
【特許文献】
【特許文献】  特開平１１−２４２９２２号公報
【０００６】  特許文献では、防水カバーの取付パネルと操作スイッチのフランジ部との密着性を、圧接リブを立てることにより、密着性を高めて防水性を向上させることを特徴とした発明である。
【発明の概要】
【発明が解決しようとする課題】
【０００７】  従来の実施例では、内部に接点構造を有するため、密閉された空間を確保し、内部に水、埃の侵入を防ぐため、ゴムパッキンが必要であった。
内部に空間があるため、例えば高温乾燥状態で放置された後、冷水に浸水した場合などの急激な気圧の変化、温度の変化が伴うような環境での対応が難しく、また、深海などの高圧力が加わる環境への対応は困難であった。
また、その構造上、可動部が浸水した状態で操作した場合、一時的なパッキンの変形により内部への水の浸入の可能性があった。
また、接点を有するため、接点部に付着した埃が接点部の抵抗を上げ、電圧降下を発生させることがあるため、防塵構造も必要であった。
また、接点構造を持つため、高い電圧を扱う場合、ＯＮ／ＯＦＦ時に放電が生じ、接点部の劣化が進み、接点の電圧降下増大を発生させることがあった。【０００８】また、クリック感を出しながら、接点部を構成する必要があるため、多くの部品が必要であった。【０００９】  本発明によれば、内部にリードスイッチ内部空間以外の空間を持たないため、リードスイッチなどの素子が耐えられる圧力範囲であれば、温度や気圧の急激な変化にも対応でき、かつ、水中での操作も可能となる。
また、リードスイッチの場合、ガスが封入され、開閉耐久性が確保された接点以外に接点をもたない構造のため、接点不良が発生せず、防塵性能も極めて高いレベルを確保することができる。
また、ＯＮ／ＯＦＦにはＭＯＳ  ＦＥＴなどのパワーデバイスで行うため、パワーデバイスの耐電圧を高めることにより、接点構造を持つスイッチでは困難であった、３０Ｖ以上の電圧においても、容易に対応することができる。【００１０】また、クリック感を出す部分で接点を構成刷る必要がないため、構造をシンプルにすることができる。
【課題を解決するための手段】
【００１１】  シーソースイッチにおいて、シーソースイッチのボディには、少なくとも一つ以上のリードスイッチ、又は、ホール素子などの磁界によって反応するセンサーと、リードスイッチ、又は、ホール素子を間接的な開閉手段として、大電流を制御できるＭＯＳ  ＦＥＴなどのスイッチング素子が配置されたプリント基板を挿入し、樹脂封止される第１の部屋を持ち、浸水することが許可された、ノブ、スプリングホルダー、圧縮コイルばね、マグネットホルダー、及び、ネオジム磁石からなる可動部が挿入される第２の部屋があり、この二つの部屋はボディ内部にある壁で仕切られ、第２の部屋で可動するネオジム磁石の磁界は、壁を隔てて第１の部屋にあるリードスイッチ、又は、ホール素子を反応させる。【００１２】  前述のネオジム磁石は、マグネットホルダーに挿入され、スプリングホルダーにスプリングを挿入した後、スプリングホルダー先端の窪み部に装着され、マグネットホルダーは節度山上を可動し、マグネットホルダー内に挿入されたネオジム磁石と、前述の第１の部屋にあるリードスイッチ、又は、ホール素子に対して適切な位置になるように配置される。【００１３】  前述のプリント基板を第１の部屋に挿入する際、同時に鉄などの磁性体で作られた磁気シールドを挿入し、樹脂封止によって、プリント基板とともに固定される。
また、シーソースイッチの外部にも防錆加工された鉄などの磁性体で構成される磁気シールドが装着できるようになっている。
【発明の効果】
【００１４】  本発明によれば、内部に空間を持たず、稼働部分が浸水しても問題がない構造であるため、極めて高い防水性を確保でき、水中での操作も可能である。
また、リードスイッチ内部の接点以外に接点構造を持たないため、接点不良を起こすことがなく、高い防塵性能も確保できる。
また、機構構造がシンプルであり、金型点数を削減でき、ローコスト化もはかることが出来る。
また、リードスイッチ、ホール素子などのセンサーの反応によってＭＯＳ  ＦＥＴなどのパワーデバイスをＯＮ／ＯＦＦするため、パワーデバイスの耐電圧を高めることで、接点構造のスイッチでは実現が困難な高電圧に対応したシーソースイッチも可能となる。
【図面の簡単な説明】
【００１５】
【図１】本発明の実施例に係るシーソースイッチの断側面図
【図２】本発明の実施例に係るボディ９の詳細図
【図３】本発明の実施例に係るシーソースイッチの爆発図
【図４】本発明の実施例に係るシーソースイッチの外部磁気シールド構造
【図５】従来構造の実施例に係るシーソースイッチの断側面図
【発明を実施するための形態】
【実施例】
【００１６】  以下、本発明の実施形態について、適宜図面を参照しながら詳細に説明する。
図１は、本発明一実施形態によるシーソースイッチの縦断側面図、図２はボディ９の詳細図、図３は図１の分解図、図４は外部磁気シールド構造を示す。【００１７】ボディ９下部に開口部がある第１の部屋９ａには、リードスイッチ６と、リードスイッチ６、ＭＯＳ  ＦＥＴなどの回路部品が組み込まれたプリント基板７を挿入し、樹脂で封止される。
また、ボディ９上部に開口部がある第２の部屋９ｂには、ノブ１、スプリングホルダー２、圧縮コイルばね３、マグネットホルダー４、ネオジム磁石５から成る可動部を挿入する。第２の部屋で可動するネオジム磁石５は、内部壁９ｃを隔てて、第１の部屋にあるリードスイッチ６を磁界によって反応させる。【００１８】前述の第２の部屋に挿入される可動部は、ノブ１にスプリングホルダー２が挿入され、スプリングホルダー２には圧縮コイルばね３が挿入され、スプリングホルダー２の先端の窪みには、あらかじめネオジム磁石５が挿入されたマグネットホルダー４が配置されており、マグネットホルダー２は、挿入されたネオジム磁石５ともに節度山上を往来する。
節度山の形状によって、２ポジション、３ポジション、モーメンタリータイプ、シーソータイプなどのバリエーションを持たせることができる。また、節度山１０の形状、マグネットホルダー４の径、及び、圧縮コイルバネ３の強さによって、操作力、操作感を調節できる。【００１９】磁界によって反応するスイッチであるため、外部磁界の影響を受けにくくするため、第１の部屋９ａには、プリント基板７とともに、鉄などの磁性体で作られた磁気シールド８を同時に挿入し、樹脂で封止する。さらに、シーソースイッチ外部を錆防止処理が施された鉄等でできた外部磁気シールドＡ  １０、外部磁気シールドＢ  １１が、シーソースイッチ取付パネル１３にシーソースイッチを取り付けた後、シーソースイッチを覆うように取り付けることが出来る。外部磁気シールドＡ  １０、及び、外部磁気シールドＢ  １１は広く重なるように組み合わされ、閉磁路を構成する。
【符号の説明】
【００２０】１      ノブ
２      スプリングホルダー
３      圧縮コイルばね
４      マグネットホルダー
５      ネオジム磁石
６      リードスイッチ
７      プリント基板
８      磁気シールド
９      ボディ
９ａ    第１の部屋
９ｂ    第２の部屋
９ｃ    ボディ内部壁
１０    節度山
１１    外部磁気シールドＡ
１２    外部磁気シールドＢ
１３    シーソースイッチ取付パネル
【図１】
2016136505.tif 000003
【図２】
2016136505.tif 000004
【図３】
2016136505.tif 000005
【図４】
2016136505.tif 000006
【図５】
2016136505.tif 000007